(57)【要約】【課題】赤旗や緑旗など２色の旗を、発光素子を内蔵した誘導灯内部に収納し、日中は分離して２色の旗を引出して２本の旗として使用し、夕暮れや夜間は、一体に組み合わせて、発光素子を点灯させるようにした携帯型誘導灯を提供するものである。【解決手段】赤色のプラスチックで形成し、基端側に把持部３Ａ、３Ｂを形成した２本の半割り中空円筒状ケース２Ａ、２Ｂを着脱自在に接合し、各半割り中空円筒状ケース２Ａ、２Ｂの赤色のプラスチックで形成されて中空部分１４に複数の発光素子１５を内蔵すると共に、半割り中空円筒状ケース２Ａ、２Ｂの分離可能な対向面６に、それぞれ旗収納部８Ａ、８Ｂを形成し、この一方の旗収納部８Ａに赤旗１１を収納し、他方の旗収納部８Ｂの内側に緑旗１２を収納したものである。【選択図】  図２
2014002881.tif 000002
【特許請求の範囲】
【請求項１】
赤色のプラスチックで形成し、基端側に把持部を形成した２本の半割り中空円筒状ケースを着脱自在に接合し、各半割り中空円筒状ケースの赤色のプラスチックで形成された内側の中空部分に、その長手方向に沿って間隔をおいて複数の発光素子を内蔵すると共に、半割り中空円筒状ケースの分離可能な対向面に、それぞれ旗収納部を形成し、この一方の旗収納部の内側に、軸に巻き付けた一方の色の旗を収納し、他方の旗収納部の内側に、軸に巻き付けた他方の色の旗を収納し、発光素子を発光させる時には、２本の半割り中空円筒状ケースを丸棒状に接合し、旗使用時には半割り中空円筒状ケースを分離して、それぞれの旗収納部に内蔵した軸を回転させて旗を引出すようにしたことを特徴とする携帯型誘導灯。
【請求項２】
旗を巻き付けた軸が、旗収納部に取り出し自在に内蔵されていることを特徴とする請求項１記載の携帯型誘導灯。
【請求項３】
赤色のプラスチックで形成された中空部分の内側に内蔵した複数の発光素子が、ベース板に間隔をおいて取付けられた発光素子取付部に接続され、前記ベース板は半割り中空円筒状ケースの先端からから引出し自在に収納されていることを特徴とする請求項１記載の携帯型誘導灯。
【発明の詳細な説明】
【技術分野】
【０００１】
本発明は、道路の工事現場やビルの建設現場、大型ショッピングセンターなどで交通誘導をする誘導員が使用する携帯型誘導灯の改良に関するものである。
【背景技術】
【０００２】
道路の工事現場で片側交互通行を行なう場合、交通誘導員が路上に立って、車両の停止や進行を指示して交通誘導を行なっている。この交通誘導は、停止旗となる赤色の旗と、進行旗となる緑色の旗を交互に振ってドライバーに指示を出している。しかしながら、夕暮れや夜間は旗が見えにくくなるため、赤色半透明の円筒体の内側に発光素子（ＬＥＤ）を内蔵した携帯型の誘導灯を用い、赤色を発光させて、誘導灯を振ったり停止させたりして、停止や進行を指示している。この携帯型誘導灯としては、赤色と緑色の２種類の発光素子を内蔵し、停止の場合は赤色の発光素子を点灯させ、進行の場合は緑色の発光素子を点灯させる携帯型誘導灯（特許文献１）も提案されている。
【０００３】
日中は赤色の旗と、緑色の旗の２本を現場に持参すれば良いが、工事が夜間まで長引いて、携帯型の誘導灯を持参していない場合には、警備会社から現場に届けなければならないことがあった。このため、日中の交通誘導の場合にも、旗と携帯型誘導灯を持参しなければならず、また一方ずつしか使用しないので、現場で紛失してしまう恐れもあった。
【先行技術文献】
【特許文献】
【０００４】
【特許文献１】特開２００４−８７４４１号公報
【発明の概要】
【発明が解決しようとする課題】
【０００５】
本発明は上記問題を改善し、赤旗や緑旗など２色の旗を、発光素子を内蔵した誘導灯内部に収納し、日中は分離して２色の旗を引出して２本の旗として使用し、夕暮れや夜間は一体に組み合わせて、発光素子を点灯させるようにした携帯型誘導灯を提供するものである。
【課題を解決するための手段】
【０００６】
本発明の請求項１記載の携帯型誘導灯は、赤色のプラスチックで形成し、基端側に把持部を形成した２本の半割り中空円筒状ケースを着脱自在に接合し、各半割り中空円筒状ケースの赤色のプラスチックで形成された内側の中空部分に、その長手方向に沿って間隔をおいて複数の発光素子を内蔵すると共に、半割り中空円筒状ケースの分離可能な対向面に、それぞれ旗収納部を形成し、この一方の旗収納部の内側に、軸に巻き付けた一方の色の旗を収納し、他方の旗収納部の内側に、軸に巻き付けた他方の色の旗を収納し、発光素子を発光させる時には、２本の半割り中空円筒状ケースを丸棒状に接合し、旗使用時には半割り中空円筒状ケースを分離して、それぞれの旗収納部に内蔵した軸を回転させて旗を引出すようにしたことを特徴とするものである。
【０００７】
本発明の請求項２記載の携帯型誘導灯は、請求項１において、旗を巻き付けた軸が、旗収納部に取り出し自在に内蔵されていることを特徴とするものである。
【０００８】
本発明の請求項３記載の携帯型誘導灯は、請求項１において、赤色のプラスチックで形成された中空部分の内側に内蔵した複数の発光素子が、ベース板に間隔をおいて取付けられた発光素子取付部に接続され、前記ベース板は半割り中空円筒状ケースの先端からから引出し自在に収納されていることを特徴とするものである。
【発明の効果】
【０００９】
本発明に係る請求項１記載の携帯型誘導灯によれば、道路工事や建築現場、大型駐車場で、日中交通誘導をする場合、半割り中空円筒状ケースを２本に分離する。分離した対向面に形成された旗収納部から、それぞれ赤旗と緑旗を引出して、把持部を手で掴んで赤旗と緑旗を交互に振って交通誘導をする。夕暮れや夜間になって視界が悪くなってきた時には、旗収納部に赤旗と緑旗を巻き取ってから、分離していた２本の半割り中空円筒状ケースを連結して丸棒状に組立てる。
【００１０】
この状態で丸棒状に組合された把持部を手で持ち、スイッチを入れて発光素子を点灯し、赤色に点灯した状態で携帯型誘導灯を振って交通誘導をする。従って携帯型誘導灯を２本の半割り中空円筒状ケースに分割構造とし、この内側に赤旗と緑旗などの旗を内蔵したので、別個に現場まで持参する必要がなく、また旗を忘れることがなく、現場での紛失も防止することができる。
【００１１】
また請求項２記載の携帯型誘導灯によれば、旗を巻き付けた軸が、旗収納部に取り出し自在に内蔵されているので、旗が汚れてきた場合には、旗を簡単に取外して洗濯することができる。
【００１２】
また請求項３記載の携帯型誘導灯によれば、発光素子を取付けた発光素子取付部を設けたベース板が、半割り中空円筒状ケースから引出し自在に収納されているので、発光素子が故障したり、リード線が断線した時には、ベース板を外部に引出すことにより交換や修理を簡単に行なうことができる。
【発明を実施するための最良の形態】
【００１３】
以下本発明の実施例を図１ないし図１０を参照して詳細に説明する。図１は誘導灯として使用する場合の携帯型誘導灯１を示すもので、図２はその側面図を示すものである。この携帯型誘導灯１は２個の半割り中空円筒状ケース２Ａ、２Ｂを丸棒状に組み合わせたものである。
【００１４】
この半割り中空円筒状ケース２Ａ、２Ｂは赤色のプラスチックで形成された点灯部５の基端側に、これより外径の小さい半割り中空円筒状の把持部３Ａ、３Ｂが形成されている。この半割り中空円筒状ケース２Ａ、２Ｂは、丸棒状に組合わせた状態で把持部３Ａ、３Ｂがボルト４で着脱自在に接合されている。
【００１５】
また半割り中空円筒状ケース２Ａ、２Ｂの分離可能な対向面６に、図３および図５に示すようにそれぞれ旗収納部８Ａ、８Ｂが形成され、この一方の旗収納部８Ａの内側に、軸１０に巻き付けた一方の色の赤旗１１を収納し、他方の旗収納部８Ｂの内側に、軸１０に巻き付けた他方の色の緑旗１２が収納されている。
【００１６】
また赤色のプラスチックで形成された半割り中空円筒状ケース２Ａ、２Ｂの内側と、旗収納部８Ａ、８Ｂとの間の中空部分１４には、図４ないし図６に示すように、その長手方向に沿って間隔をおいて複数の発光素子１５が取付けられている。
【００１７】
この発光素子１５は図６に示すように２本平行に配置したベース板１７の上に、間隔をおいて突設した半割リング状の発光素子取付部１８に取付けられている。この半割リング状の発光素子取付部１８は、図５に示すようにこの内側に旗収納部８Ａ、８Ｂが形成されている。また間隔をおいてベース板１７に突設した発光素子取付部１８の左右中間には導線１９Ａ、１９Ｂが貫通し、発光素子１５の一方のリード線２０Ａが一方の導線１９Ａに接続され、他方のリード線２０Ｂが他方の導線１９Ｂに接続されている。
【００１８】
またこの発光素子１５を取付けたベース板１７、１７は、半割り中空円筒状ケース２Ａ、２Ｂの先端を塞ぐキャップ２２を取外すことにより図６に示すように引出して発光素子１５の交換やリード線２０Ａ、２０Ｂの断線を修理することができる。
【００１９】
また旗収納部８Ａ、８Ｂは図７に示すように、軸１０に巻き付けられた赤旗１１が収納されている、この軸１０を両側から支持する軸受２５は上部を開口した保持ケース２６の左右の側壁を貫通して可動ピン２７が取付けられ、この可動ピン２７の突出した先端に角形の突起部２８が取付けられ、軸１０の端部に形成した角溝２９に着脱自在に嵌合するようになっている。
【００２０】
また保持ケース２６の内側の可動ピン２７には、これを囲むように、外周表面に筋状の滑り止め突起３１を形成した円筒体３２が接続され、この内側に可動ピン２７を囲むようにコイルスプリング３３が取付けられている。円筒体３２をずらすことにより、これと一体に接続した可動ピン２７が移動して、先端の角形の突起部２８が、軸１０の端部に形成した角溝２９から外れて、赤旗１１を旗収納部８Ａから取出せるようになっている。
【００２１】
また半割り中空円筒状ケース２Ａ、２Ｂの赤色のプラスチックで形成された点灯部５の基端側に形成した把持部３Ａ、３Ｂは図２に示すように点灯部５より外径が小さく形成されている。この把持部３Ａ、３Ｂは図８および図９に示すように電池３５を収納する電池収納部３６が形成され、その開口した端部にキャップ２３が取付けられ、更にこの電池収納部３６の横にボルト取付部３７が形成されている。
【００２２】
このボルト取付部３７は把持部３Ａ、３Ｂにそれぞれ設けられ、一方からボルト４を通して、ボルト取付部３７、３７同志を連結することにより半割り中空円筒状ケース２Ａ、２Ｂを丸棒状に接合することができる。またボルト４の横にはスイッチ３９が設けられ、このスイッチ３９は制御基板４０に接続され、例えばスイッチ３９を１回押すと発光素子１５が常時点灯し、２回押すと発光素子１５が点滅し、３回押すと発光素子１５が消えるようになっている。
【００２３】
上記構成の携帯型誘導灯１は、図１に示すように半割り中空円筒状ケース２Ａ、２Ｂをボルト４で丸棒状に組立てて、道路工事現場に持参する。現場で日中、交互通行の交通誘導をする場合、ボルト４を緩めて、一方のボルト取付部３７から外すと半割り中空円筒状ケース２Ａ、２Ｂは２本に分離する。分離した対向面６に形成された旗収納部８Ａ、８Ｂから、それぞれ軸１０に巻き付けられている赤旗１１と緑旗１２を図１０に示すように引出す。
【００２４】
この時、軸１０は図７に示す旗収納部８Ａ、８Ｂの両端に取付けた軸受２５の可動ピン２７が回転して円滑に赤旗１１と緑旗１２を引出すことができる。この状態で把持部３Ａ、３Ｂを手で掴んで赤旗１１と緑旗１２を交互に振って交通誘導をする。
【００２５】
夕暮れになって視界が悪くなってきた時には、旗収納部８Ａ、８Ｂの両側に設けた軸受２５の、滑り止め突起３１を外周に形成した円筒体３２を指で回転させると、可動ピン２７の先端の角形の突起部２８が軸１０の両端面に形成した角溝２９に嵌合しているので軸１０は回転し、赤旗１１と緑旗１２が巻き取られて図７に示すように旗収納部８Ａ、８Ｂに収納される。この後、把持部３Ａ、３Ｂのボルト取付部３７をボルト４で連結して図１に示すように丸棒状に組立てる。
【００２６】
この状態で丸棒状に組合された把持部３Ａ、３Ｂを手で持ち、スイッチ３９を１回押すと発光素子１５が常時点灯し、点灯部５が赤色に点灯する。このように点灯部５が赤色に点灯した状態で携帯型誘導灯１を振って交通誘導をする。
【００２７】
従って携帯型誘導灯１を２本の半割り中空円筒状ケース２Ａ、２Ｂの分割構造とし、この内側に赤旗１１と緑旗１２を内蔵したので、別個に現場まで持参する必要がなく、また赤旗１１と緑旗１２を忘れることがなく、現場での紛失も防止することができる。
【００２８】
赤旗１１と緑旗１２が汚れてきて洗濯する場合には、軸受２５の円筒体３２を横にずらすことにより、コイルスプリング３３が押し縮められて、円筒体３２と一体に接続した可動ピン２７が移動して、先端の角形の突起部２８が、軸１０の端部に形成した角溝２９から外れて、赤旗１１と緑旗１２を取外して洗濯することができる。
【００２９】
また発光素子１５が故障したり、リード線２０Ａ、２０Ｂが断線して発光素子１５が点灯しなくなった時には、キャップ２２を取り外して図６に示すように発光素子１５を取付けたベース板１７、１７を半割り中空円筒状ケース２Ａ、２Ｂから外部に引出すことにより発光素子１５の交換やリード線２０Ａ、２０Ｂの断線の修理を簡単に行なうことができる。
【００３０】
なお上記説明では赤旗１１と緑旗１２を旗収納部８Ａ、８Ｂに収納した場合について示したが、徐行旗となる黄旗を収納しても良い。また旗収納部８Ａ、８Ｂの軸１０の両端を支持する軸受２５は、他の構造でも良い。また携帯型誘導灯１に光センサーを取付ければ、夕暮れや夜間、トンネル内などで自動的に点灯させることができる。
【図面の簡単な説明】
【００３１】
【図１】本発明の実施の一形態による携帯型誘導灯を示す斜視図である。
【図２】図１の携帯型誘導灯を示す側面図である。
【図３】図１の携帯型誘導灯を分離して対向面を上にした半割り中空円筒状ケースの平面図である。
【図４】半割り中空円筒状ケースの先端部分を拡大して示す縦断側面図である。
【図５】図４の半割り中空円筒状ケースの先端部分の縦断正面図である。
【図６】半割り中空円筒状ケースから発光素子を取付けたベース板を引き出した状態を示す斜視図である。
【図７】図３の旗収納部を拡大して一部破断した半割り中空円筒状ケースの平面図である。
【図８】図２の把持部を拡大して示す縦断側面図である。
【図９】図８の把持部に内蔵した電池収納部を拡大して示す縦断背面図である。
【図１０】半割り中空円筒状ケースの旗収納部から赤旗を引出した状態を示す斜視図である。
【符号の説明】
【００３２】
１    携帯型誘導灯                                          
２Ａ、２Ｂ  半割り中空円筒状ケース                          
３Ａ、３Ｂ  把持部                                          
４    ボルト                                                
５    点灯部                                                
６    対向面                                                
８Ａ、８Ｂ  旗収納部                                        
１０  軸                                                    
１１  赤旗                                                  
１２  緑旗                                                  
１４  中空部分                                              
１５  発光素子                                              
１７  ベース板                                              
１８  発光素子取付部                                        
１９Ａ、１９Ｂ    導線                                      
２０Ａ、２０Ｂ  リード線                                    
２２  キャップ                                              
２３  キャップ                                              
２５  軸受                                                  
２６  保持ケース                                            
２７  可動ピン                                              
２８  角形の突起部                                          
２９  角溝                                                  
３１  滑り止め突起                                          
３２  円筒体                                                
３３  コイルスプリング                                      
３５  電池                                                  
３６  電池収納部                                            
３７  ボルト取付部                                          
３９  スイッチ                                              
４０  制御基板                                              
【図１】
2014002881.tif 000003
【図２】
2014002881.tif 000004
【図３】
2014002881.tif 000005
【図４】
2014002881.tif 000006
【図５】
2014002881.tif 000007
【図６】
2014002881.tif 000008
【図７】
2014002881.tif 000009
【図８】
2014002881.tif 000010
【図９】
2014002881.tif 000011
【図１０】
2014002881.tif 000012